(57)【特許請求の範囲】
【請求項１】
電源接続用ガイドレールとソケットボードモジュールとを備え、前記電源接続用ガイドレールの上面には挿入用スロットが開口されており、前記挿入用スロット内に３本の導電用銅線が設けられ、前記３本の導電用銅線がそれぞれ電源の送電線、中性線及び接地線に接続され、前記電源接続用ガイドレールの壁面側に、集塵溝が設けられており、前記ソケットボードモジュールは、互いに離隔して配置された、フロントパネルと、３本の導電用銅板が形成された接続用パネルと、リアパネルとを含み、前記３本の導電用銅線がそれぞれ前記３本の導電用銅板に接続されるように前記接続用パネルが前記電源接続用ガイドレールの前記挿入用スロット内に挿設可能であり、
前記接続用パネルが前記挿入用スロット内に挿設されたときに、前記集塵溝に挿入された前記リアパネルが前記電源接続用ガイドレールの一方の側面に密着し、前記フロントパネルが前記電源接続用ガイドレールの他方の側面と密着することを特徴とするスマートハウスの電源接続システム。
【請求項２】
前記フロントパネル、前記接続用パネル及び前記リアパネルの各下端部が、地面と平行な同一平面上にあることを特徴とする請求項１に記載のスマートハウスの電源接続システム。
【請求項３】
前記電源接続用ガイドレールは、壁面における幅木の場所に装着され、住宅内のすべての部屋に延設されていることを特徴とする請求項１に記載のスマートハウスの電源接続システム。
【請求項４】
前記挿入用スロットの側面の上部は円弧状であることを特徴とする請求項１に記載のスマートハウスの電源接続システム。
【請求項５】
前記電源接続用ガイドレールは、幅木ハウジングと、防塵用絶縁ゴムパッキンと、導電用銅線と、封止配線とを含み、前記幅木ハウジングの上面に前記挿入用スロットが開口され、前記挿入用スロットにおける外側に近い面に前記導電用銅線を装着するためのスロットが設けられ、前記導電用銅線が前記スロット内に収納され、前記防塵用絶縁ゴムパッキンは前記挿入用スロットの開口の内側に装着されていることを特徴とする請求項１に記載のスマートハウスの電源接続システム。
【請求項６】
前記封止配線の一端が電源に接続されていることを特徴とする請求項５に記載のスマートハウスの電源接続システム。
【請求項７】
前記ソケットボードモジュールは、ハブ及び導電用銅板と、スマートＩＣチップと、モジュール接続用ハウジングと含み、前記接続用パネルの上半部に前記ハブを装着するための四角形孔が設けられ、前記接続用パネルの下半部に前記導電用銅板を装着するための細長スロットが設けられ、前記ハブ及び前記導電用銅板は互いに同じ材料で一体的に構成されて前記接続用パネルの対応するスロット内に装着され、前記３本の導電用銅板の位置がそれぞれ前記電源接続用ガイドレールにおける前記３本の導電用銅線の位置に合わせられ、前記モジュール接続用ハウジングは、各パネルに接続され、その中央部にキャビティが形成されていることを特徴とする請求項１に記載のスマートハウスの電源接続システム。
【請求項８】
前記モジュール接続用ハウジングは、上半部ハウジングと下半部ハウジングとの二部分に分けられ、前記下半部ハウジングは、前記フロントパネルと前記接続用パネルとの間及び前記接続用パネルと前記リアパネルとの間に設けられ、押されると前記上半部ハウジング内に引っ込むことを特徴とする請求項７に記載のスマートハウスの電源接続システム。
【請求項９】
前記電源接続用ガイドレールは、壁面における廻り縁の場所に装着され、住宅内のすべての部屋に延設されていることを特徴とする請求項１に記載のスマートハウスの電源接続システム。
【請求項１０】
前記電源接続用ガイドレールは、壁面における地面から１．５メートルの高さの場所に装着され、住宅内のすべての部屋に延設されていることを特徴とする請求項１に記載のスマートハウスの電源接続システム。
【発明の詳細な説明】
【技術分野】
【０００１】
本発明は住宅用の電源接続システムに関し、特にスマートハウスに用いられる電源接続システムに関する。
【背景技術】
【０００２】
従来の住宅内装の配線形態では、ソケットの挿入孔が相対的に固定されているため、離れた位置にある電気器具をソケットに接続する場合、パワーストリップを使用するしかない。
【０００３】
スマートハウス（Ｓｍａｒｔ  Ｈｏｍｅ）とは、住宅をプラットフォームとし、集積配線技術、ネットワーク通信技術、セキュリティ技術、自動制御技術、音声・映像技術を利用して家庭生活に関するあらゆる施設を集積させ、効率が高い住宅施設や家庭生活管理システムを構築し、住宅の安全性、利便性、快適性及び芸術性を向上するとともに、環境に優しい省エネの居住環境を実現することができるものである。
【０００４】
スマートハウスに用いられる電気システム製品は、スマートハウスにおいてもっとも基本的な製品であり、他のシステム（家庭内通信システム、家庭内ＬＡＮ、家庭内セキュリティシステム、家庭内娯楽システムなど）の電力伝送と配線管理を当該電気システム製品に基づいて行う必要がある。従って、機能的に言えば、当該電気システムは、スマートハウスシステムを構成する土台であり、各種やり取りを行う不可欠なシステムである。
【０００５】
最近数年来、スマートハウスという概念の普及に伴い、家電器具の自動化制御及び管理の最終的目標を達成するために、従来の住宅内装の配線形態を変え、配線技術と電力システムを合理的に改造するのは、スマートハウス分野において次第に重要な傾向となりつつある。
【発明の概要】
【発明が解決しようとする課題】
【０００６】
従来の住宅内装の配線形態では、ソケットの挿入孔が相対的に固定されているため、離れた位置にある電気器具をソケットに接続する場合、パワーストリップを利用するしかない。これにより、住宅内は乱雑な電力線で非常に見苦しくなるとともに、安全面でも潜在的な災いにつながる恐れがある。これに対して、よく使う箇所にソケットを多く設置することが考えられるが、この場合、壁内の配線が複雑になり、内装配線の際に正確に最適なソケットの設置場所を想定すること自体非常に困難である。
【課題を解決するための手段】
【０００７】
本発明は、配線形態を合理的に改造することで、バスシステムがすべての部屋まで延設され、部屋の壁面における任意の場所（特に、地面に近い幅木と、天井に近い廻り縁とのいずかの場所）に電源システム接続用のインターフェースを設けることができ、家電器具に対して最寄りで使える電源を提供することができるスマートハウスに用いられる電源接続システムを提供する。
【０００８】
上記の目的を達成するために、本発明は、従来の埋設配線に代わり、幅木又は廻り縁又は壁面の任意の場所に繋ぎ合わせることができる簡易な電源接続用ガイドレールを提供する。このような構成により、内装の複雑さが低減し、装着の利便性が向上する。電源接続用ガイドレールに対して自由に挿設可能なソケットボードモジュールに合わせて、電気器具のプラグが挿入されるソケット孔を設ける。これにより、家電器具に対して最寄りで利用可能な電源を提供することができるため、電気器具の使用の自由度が更に高くなる。このシステムは、ソケットボードモジュールを上から下へ電源接続用ガイドレールに挿入すればよく、簡易に使用することができる。
【０００９】
具体的には、本発明は、電源接続用ガイドレールとソケットボードモジュールとを備えたスマートハウスに用いられる電源接続システムであって、前記電源接続用ガイドレールの上面には挿入用スロットが開口されており、前記挿入用スロット内に３本の導電用銅線が設けられ、前記３本の導電用銅線がそれぞれ電源の送電線、中性線及び接地線に接続され、前記電源接続用ガイドレールの壁面側に、集塵溝が設けられており、前記ソケットボードモジュールは、互いに離隔して配置された、フロントパネルと、３本の導電用銅板が形成された接続用パネルと、リアパネルとを含み、前記３本の導電用銅線がそれぞれ前記３本の導電用銅板に接続されるように前記接続用パネルが前記電源接続用ガイドレールの前記挿入用スロット内に挿設可能であり、
前記接続用パネルが前記挿入用スロット内に挿設されたときに、前記集塵溝に挿入された前記リアパネルが前記電源接続用ガイドレールの一方の側面に密着し、前記フロントパネルが前記電源接続用ガイドレールの他方の側面と密着する。
【００１０】
好ましくは、前記フロントパネル、前記接続用パネル及び前記リアパネルの各下端部が、地面と平行な同一平面上にある。
好ましくは、前記電源接続用ガイドレールは、壁面における幅木の場所に装着され、住宅内のすべての部屋に延設されている。
【００１１】
好ましくは、前記挿入用スロットの側面の上部は円弧状である。
【００１２】
好ましくは、前記電源接続用ガイドレールは、幅木ハウジングと、防塵用絶縁ゴムパッキンと、導電用銅線と、封止配線とを含み、前記幅木ハウジングの上面に前記挿入用スロットが開口され、前記挿入用スロットにおける外側に近い面に前記導電用銅線を装着するためのスロットが設けられ、前記導電用銅線が前記スロット内に収納され、前記防塵用絶縁ゴムパッキンは前記挿入用スロットの開口の内側に装着されている。これらは、一体的に構成されて幅木の場所に設けられ、簡単な繋ぎ合わせによってすべての部屋の壁面まで延設されている。
【００１３】
より好ましくは、前記幅木ハウジングの壁面側に、集塵溝が設けられている。
【００１４】
好ましくは、前記ソケットボードモジュールは、ハブ及び導電用銅板と、スマートＩＣチップと、モジュール接続用ハウジングと含み、前記接続用パネルの上半部に前記ハブを装着するための四角形孔が設けられ、前記接続用パネルの下半部に前記導電用銅板を装着するための細長スロットが設けられ、前記ハブ及び前記導電用銅板は互いに同じ材料で一体的に構成されて前記接続用パネルの対応するスロット内に装着され、前記３本の導電用銅板の位置がそれぞれ前記電源接続用ガイドレールにおける前記３本の導電用銅線の位置に合わせられ、前記モジュール接続用ハウジングは、各パネルに接続され、その中央部にキャビティが形成されている。
【００１５】
前記モジュール接続用ハウジングは、上半部ハウジングと下半部ハウジングとの二部分に分けられ、前記下半部ハウジングは、前記フロントパネルと前記接続用パネルとの間及び前記接続用パネルと前記リアパネルとの間に設けられ、押されると前記上半部ハウジング内に引っ込む。
【００１６】
好ましくは、前記電源接続用ガイドレール（３０２）は、壁面における廻り縁の場所に装着され、住宅内のすべての部屋に延設されている。
【００１７】
好ましくは、前記電源接続用ガイドレール（３０２）は、壁面における地面から１．５メートルの高さの場所に装着され、住宅内のすべての部屋に延設されている。
【００１８】
前記幅木ハウジングは、前記電源接続用ガイドレールの主な構成部分であり、従来の住宅の幅木の外観と同様の形状である。前記幅木ハウジングは、他の部分を組み合わせるための土台となり、前記ソケットボードモジュールを鉛直方向に支持するものである。前記幅木ハウジングは、一定の強度を持ち、絶縁性も確保されており、使用中にソケットボードモジュールが中央挿入用スロット内に挿入できるように、上面に細長く開口が形成され、また、前記ソケットボードモジュールが精確な位置に挿入しやすいように前記挿入用スロットの側面は円弧状に設計されている。挿入用スロットの外側の面に導電用銅線を装着するためのスロットが設けられ、幅木ハウジングの壁面側に集塵溝が設けられている。幅木ハウジングは、壁面の水蒸気を遮断し、下部には封止配線を配置するための円孔が設けられている。
【００１９】
前記防塵用絶縁ゴムパッキンは、前記幅木ハウジングの対応するスロット内部に装着される。これにより、埃又は水蒸気が電源接続用ガイドレール内に侵入しない。ゴムパッキンは、一定の絶縁性、耐高温性、圧縮性及び耐破断性を有する。ソケットボードモジュールがガイドレール内に挿入されると、防塵用絶縁ゴムパッキンにおけるソケットボード付近の部分は、押されて圧縮変形し、挿入用スロットの側面における円弧状の壁面に押し付けられ、防塵用絶縁ゴムパッキンの他の部分は、変形しない。これにより、ガイドレールの封止状態が保たれる。
【００２０】
前記導電用銅線は、前記幅木ハウジングの対応するスロット内に装着されて弾力性絶縁材で覆われ、その一端が、送電線、中性線及び接地線の３本の電力線に接続され、他端が、挿入されたソケットボードモジュールに設けられた装着用銅板に接する。これにより、当該両者間の電力伝送を実現する。
【００２１】
前記封止配線は、幅木ハウジングの下部の円孔に装着されており、もう一つの電源接続岐路を引き出すことにより、電源を離れた部屋へ引き込む。
【００２２】
前記ソケットボードモジュールは、フロントパネルと、接続用パネルと、リアパネルと、ハブ及び導電用銅板と、スマートＩＣチップと、モジュール接続用ハウジングとを含む。これらを長方形に一体的に構成し、使用時に接続用パネルの下部の挿入を電源接続用ガイドレールに挿入して導電用銅線と接触させることで、電源の接続を実現することができる。また、フロントパネル及びリアパネルがガイドレールの両側に張り付けられることで、より確実な接続を確保することができる。
【００２３】
前記フロントパネルは、挿入されるプラグを位置付けるために、電気器具用プラグに合わせたソケットが設けられており、使用時に電源接続用ガイドレールの外側面に張り付けられ、モジュールの強度をある程度向上させることができる。
【００２４】
前記リアパネルは、使用時に電源接続用ガイドレールの壁面側の集塵溝内に挿入されて、モジュールの強度をある程度向上させることができる。
【００２５】
前記接続用パネルは、上半部に、ピンが真ん中を挿通するようにハブを装着するための四角形孔が設けられ、下半部に、導電用銅板を装着するための細長スロットが開口されている。前記接続用パネルは、使用時に電源接続用ガイドレールの中央挿入用スロットに挿入されるが、ガイドレールの任意の場所に挿設することができる。
【００２６】
前記ハブ及び前記導電用銅板は、互いに同じ材料で一体的に構成されており、接続用パネルの対応するスロット内に装着される。プラグの平ピンがハブを挿通することで、電気回路の接続が実現される。ハブは、プラグのピンとモジュールとの間の確実な接続を確保するために、適宜に型締力を有するよう構成される。３つの導電用銅板は、ガイドレールの３本の導電用銅線まで下方へ延設され、押しつけ力により当該３本の導電用銅線と確実に接続され、導電用銅線との非接続部は、絶縁材によって覆われる。
【００２７】
前記スマートＩＣチップは、モジュール接続用ハウジング内において、接続用パネルとリアパネルとの間に装着される。前記スマートＩＣチップは、制御チップであり、使用電源の電流変化を自動的に検出し、必要に応じて電気回路のオン／オフを制御する。
【００２８】
前記モジュール接続用ハウジングは、各パネルに接続され、その中央部にはハブ、スマートチップなどの部品を収納するキャビティが形成されている。前記モジュール接続用ハウジングは、上半部ハウジングと下半部ハウジングとの２つの部分に分けられ、モジュールがガイドレールに挿入されると、下半部ハウジングが上半部ハウジング内に引っ込む。
【発明の効果】
【００２９】
本発明に係るスマートハウスに用いられる電源接続システムによれば、従来の埋設配線に比べ、内装の複雑さが低減し、装着時の簡易性が向上する。電源接続用ガイドレールに対して自由に挿設可能なソケットボードモジュールに合わせて、電気器具のプラグが挿入されるソケット孔を設ける。これにより、家電器具に対して最寄りで利用可能な電源を提供することができるため、電気器具の使用の自由度が更に高くなり、非常に使い勝手がよくなる。また、当該システムは、簡単に装着でき、操作作業も簡素化され、美感的で実用性を備え、一般家庭のスマートハウス電気システムに適用でき、普及する大きな余地が存在する。
【図面の簡単な説明】
【００３０】
【図１】電源接続用ガイドレールの側断面図及びアイソメ図である。
【図２】ソケットボードモジュールの全体模式図及び側断面図である。
【図３】スマートハウスにおける電気システムの全体構成図である。
【発明を実施するための形態】
【００３１】
電源接続用ガイドレール（３０２）とソケットボードモジュール（３０３）とを備えたスマートハウスにおける電源接続システムにおいては、電源接続用ガイドレール（３０２）の上面には挿入用スロット（１０６）が開口されており、挿入用スロット（１０６）内に３本の導電用銅線（１０３）が設けられ、これらの導電用銅線（１０３）がそれぞれ電源の送電線、中性線及び接地線に接続され、当該ソケットボードモジュール（３０３）が電源接続用ガイドレール（３０２）の挿入用スロット（１０６）内に挿設可能である。
【００３２】
図１は、電源接続用ガイドレールの側断面図及びアイソメ図である。図１に示すように、電源接続用ガイドレール（３０２）は、幅木ハウジング（１０１）、防塵用絶縁ゴムパッキン（１０２）、導電用銅線（１０３）及び封止配線（１０４）を含む。幅木ハウジングには、ゴムスリット、導電用銅線スリット、集塵溝（１０７）及び封止配線孔が形成されている。ソケットボードモジュール（３０３）は、上面細長開口（１０５）から中央挿入用スロット（１０６）に挿入される。導電用銅線は、３本の電力線（送電線、中性線、接地線）及びソケットボードのピンに形成した銅板（２０４）に接続されることで、電源をソケットボードモジュールに導入することができる。封止配線は、総電源から分岐した岐路であり、電力ロスなしでより遠く離れた部屋まで伝送することができる。
【００３３】
装着時には、電源接続用ガイドレールを通常の幅木における壁面及び地面に近い場所に設置し、配電ボックス（３０１）から３本の電力線を引出してこれらを最寄りのガイドレールの導電用銅線（１０３）に接続し、他の引出し電力線を封止配線スロット内に隠す。壁の曲がり角においては、特別な接続用ソケットボードを利用して接続する。これにより、電源システムによって住宅内の隅々をカバーすることができる。
【００３４】
図２は、ソケットボードモジュールの全体模式図及び側断面図である。ソケットボードモジュール（３０３）は、フロントパネル（２０１）と、接続用パネル（２０２）と、リアパネル（２０３）と、ハブ及び導電用銅板（２０４）と、スマートＩＣチップ（２０５）と、モジュール接続用ハウジング（２０６）とを含む。
【００３５】
使用時に、ソケットボードモジュール（３０３）を上から下へ電源接続用ガイドレールの中央挿入用スロット（１０６）に挿入する。挿入に伴い、フロントパネルと接続用パネルとの間及び接続用パネルとリアパネルとの間に設けられた下半部ハウジング（２０８）が次第に上半部ハウジング内に引っ込み、接続用パネル（２０２）の下部の固定ピンがゆっくりとガイドレール内部へ進入する。フロントパネル（２０１）とリアパネル（２０３）とがガイドレールの両側に密着することで、位置決め及び補強が実現される。
【００３６】
完全に挿入した後に、導電用銅板（２０４）がガイドレールにおける導電用銅線（１０３）に接続され、電源が導電用銅線（１０３）、銅板及びハブ（２０４）を介してソケットボードモジュールのソケット（２０７）まで導入される。電気器具用プラグが挿入経路（２０９）に沿いながらソケット（２０７）より挿入され、ピンがハブ（２０４）に型締めされ、電気器具に電流が流れる。
【００３７】
図３は、スマートハウスにおける電気システムの全体構成図である。当該システムは、家庭内配電ボックス（３０１）、電源接続用ガイドレール（３０２）、ソケットボードモジュール（３０３）及び電気器具用ソケット（３０４）を備えている。
【００３８】
電源は配電ボックス（３０１）から引き出され、そのうち、３本の電力線（送電線、中性線、接地線）が電源接続用ガイドレール（３０２）の３本の導電用銅線（１０３）に接続され、残りの電力線がガイドレールの下半部の封止配線（１０４）に接続される。ソケットボードモジュール（３０３）がガイドレール中央挿入用スロット（１０６）に挿入され、導電用銅板（２０４）が導電用銅線（１０３）に接続される。電気器具用ソケット（３０４）はソケットボードモジュール（３０３）のフロントパネルソケット（２０７）に挿入され、ピンがハブ（２０４）に接続される。このように、電力システムにおいて電源から電気器具用ソケットへの接続が実現される。
【００３９】
電源接続用ガイドレール（３０２）は、幅木において壁面及び地面に寄って装着され、住宅内のすべての部屋をカバーし、曲がり角では特別なソケットボードを介して接続される。ソケットボードモジュール（３０３）は、ガイドレールの任意の場所に挿設可能であるため、電気器具を最寄りの電源に接続することができる。
【００４０】
本発明に係るスマートハウスの電源接続システムは、バスシステムがすべての部屋まで延設され、部屋の壁面における任意の場所（特に、地面に近い幅木と、天井に近い廻り縁とのいずかの場所）に電源システム接続用のインターフェースを設けることができ、家電器具に対して最寄りで使える電源を提供することができる。以下、本発明の目的、技術手段及び優れた点をより明確にするために、図面と実施例を用いて、本発明の実施の形態を更に詳しく説明する。
【００４１】
電源接続用ガイドレール（３０２）とソケットボードモジュール（３０３）とを備えたスマートハウスにおける電源接続システムにおいては、電源接続用ガイドレール（３０２）の上面には挿入用スロット（１０６）が開口されており、挿入用スロット（１０６）内に３本の導電用銅線（１０３）が設けられ、これらの導電用銅線（１０３）がそれぞれ電源の送電線、中性線及び接地線に接続され、当該ソケットボードモジュール（３０３）が電源接続用ガイドレール（３０２）の挿入用スロット（１０６）内に挿設可能である。
【００４２】
図１は、電源接続用ガイドレールの側断面図及びアイソメ図である。図１に示すように、電源接続用ガイドレール（３０２）は、幅木ハウジング（１０１）、防塵用絶縁ゴムパッキン（１０２）、導電用銅線（１０３）及び封止配線（１０４）を含む。幅木ハウジングには、ゴムスリット、導電用銅線スリット、集塵溝（１０７）及び封止配線孔が形成されている。ソケットボードモジュール（３０３）は、上面細長開口（１０５）から中央挿入用スロット（１０６）に挿入される。導電用銅線は、３本の電力線（送電線、中性線、接地線）及びソケットボードのピンに形成した銅板（２０４）に接続されることで、電源をソケットボードモジュールに導入することができる。封止配線は、総電源から分岐した岐路であり、電力ロスなしでより遠く離れた部屋まで伝送することができる。同様に、スマートハウスに用いられる電源接続システムを廻り縁に装着する場合は、電源接続用ガイドレールを通常の幅木における壁面及び地面に近い場所に設置し、配電ボックス（３０１）から３本の電力線を引出してこれらを最寄りのガイドレールの導電用銅線（１０３）に接続し、他の引出し電力線を封止配線スロット内に隠す。壁の曲がり角においては、特別な接続用ソケットボードを利用して接続する。これにより、電源システムによって住宅内の隅々をカバーすることができる。
【００４３】
図２は、ソケットボードモジュールの全体模式図及び側断面図である。ソケットボードモジュール（３０３）は、フロントパネル（２０１）と、接続用パネル（２０２）と、リアパネル（２０３）と、ハブ及び導電用銅板（２０４）と、スマートＩＣチップ（２０５）と、モジュール接続用ハウジング（２０６）とを含む。
【００４４】
使用時に、ソケットボードモジュール（３０３）を上から下へ電源接続用ガイドレールの中央挿入用スロット（１０６）に挿入する。挿入に伴い、下半部ハウジング（２０８）が次第に上半部ハウジング内に引っ込み、接続用パネル（２０２）の下部の固定ピンがゆっくりとガイドレール内部へ進入する。フロントパネル（２０１）とリアパネル（２０３）とがガイドレールの両側に密着することで、位置決め及び補強が実現される。
【００４５】
完全に挿入した後に、導電用銅板（２０４）がガイドレールにおける導電用銅線（１０３）に接続され、電源が導電用銅線（１０３）、銅板及びハブ（２０４）を介してソケットボードモジュールのソケット（２０７）まで導入される。電気器具用プラグが挿入経路（２０９）に沿いながらソケット（２０７）より挿入され、ピンがハブ（２０４）に型締めされ、電気器具に電流が流れる。
【００４６】
図３は、スマートハウスにおける電気システムの全体構成図である。当該システムは、家庭内配電ボックス（３０１）、電源接続用ガイドレール（３０２）、ソケットボードモジュール（３０３）及び電気器具用ソケット（３０４）を備えている。
【００４７】
電源は配電ボックス（３０１）から引き出され、そのうち、３本の電力線（送電線、中性線、接地線）が電源接続用ガイドレール（３０２）の３本の導電用銅線（１０３）に接続され、残りの電力線がガイドレールの下半部の封止配線（１０４）に接続される。ソケットボードモジュール（３０３）がガイドレール中央挿入用スロット（１０６）に挿入され、導電用銅板（２０４）が導電用銅線（１０３）に接続される。電気器具用ソケット（３０４）はソケットボードモジュール（３０３）のフロントパネルソケット（２０７）に挿入され、ピンがハブ（２０４）に接続される。このように、電力システムにおいて電源から電気器具用ソケットへの接続が実現される。
【００４８】
電源接続用ガイドレール（３０２）は、幅木において壁面及び地面に寄って装着され、住宅内のすべての部屋をカバーし、曲がり角では特別なソケットボードを介して接続される。ソケットボードモジュール（３０３）は、ガイドレールの任意の場所に挿設可能であるため、電気器具を最寄りの電源に接続することができる。
【００４９】
本発明に係るスマートハウスの電源接続システムは、天井に近い廻り縁又は部屋内の壁面の任意の場所に装着できる。当該システムの構成は、実施例において幅木に適用される電源接続システムの構成と同じである。
【００５０】
装置全体として合理的に改造した電源システムにより、ソケットモジュールを上から下へ電源接続用ガイドレールに挿入する接続形態を採用する。これにより、操作作業を簡素化することができ、簡易に使用でき、ワンステップで済ませることができるため、優れた移動性及び拡張性を有し、一般家庭のスマートハウスの電気システムに適用し、普及する余地が大いに存在する。
【産業上の利用可能性】
【００５１】
本発明は、配線形態を合理的に改造することで、幅木を利用してバスシステムをすべての部屋まで延設し、部屋の壁面における幅木の任意の場所に電源システム接続用のインターフェースを設けることができ、家電器具に対して最寄りで使える電源を提供できるスマートハウスに用いられる電源接続システムを提供する。
【符号の説明】
【００５２】
１０１  幅木ハウジング
１０２  防塵用絶縁ゴムパッキン
１０３  導電用銅線
１０４  封止配線
１０５  上面細長開口
１０６  挿入用スロット
１０７  集塵溝
２０１  フロントパネル
２０２  接続用パネル
２０３  リアパネル
２０４  ハブ及び導電用銅板
２０５  スマートＩＣチップ
２０６  モジュール接続用ハウジング
２０７  フロントパネル挿入孔
２０８  下半部ハウジング
２０９  プラグ挿入経路
３０１  家庭内配電ボックス
３０２  電源接続用ガイドレール
３０３  ソケットボードモジュール
３０４  電器用ソケット
【図１】
0006300944.tif 000002
【図２】
0006300944.tif 000003
【図３】
0006300944.tif 000004